(57)【要約】【課題】  時間の経過に伴い表示部の表示態様を自動的に変更することが可能な情報表示装置の提供。【解決手段】  現在時刻および年齢情報が入力される入力部１１と、現在時刻および年齢情報が格納される年齢情報格納部１２と、時刻を計数する計時部１３と、年齢情報と表示文字の態様とが関連付けて記録されるテーブル１４１を備え、年齢情報格納部に格納される年齢情報に応じてテーブルから所定の文字の態様を選択し、表示すべき情報の文字の態様を選択された文字の態様に変換する表示変換部１４と、変換される文字の態様で表示すべき情報が表示される表示部１５と、各部位を制御する表示変換制御部１６とを情報表示装置１に含み、表示変換制御部は、計時部に現在時刻を起点として時刻を計数させ、その計数結果に基づいて年齢情報格納部に格納される年齢情報を更新し、更新後の年齢情報に基づき表示変換部に表示変換させる。【選択図】      図１
2011081577.tif 000002
【特許請求の範囲】
【請求項１】
現在時刻および年齢情報が入力される入力部と、
前記入力部に入力される現在時刻および年齢情報が格納される年齢情報格納部と、
時刻を計数する計時部と、
年齢情報と表示文字の態様とが関連付けて記録されるテーブルを備え、前記年齢情報格納部に格納される前記年齢情報に応じて前記テーブルから所定の文字の態様を選択し、表示すべき情報の文字の態様を前記選択された文字の態様に変換する表示変換部と、
前記表示変換部にて変換される文字の態様で前記表示すべき情報が表示される表示部と、
前記入力部、年齢情報格納部、計時部、表示変換部および表示部を制御する表示変換制御部とを含み、
前記表示変換制御部は、前記計時部に前記現在時刻を起点として時刻を計数させ、その計数結果に基づいて前記年齢情報格納部に格納される年齢情報を更新し、更新後の年齢情報に基づき前記表示変換部に表示変換させることを特徴とする情報表示装置。
【請求項２】
前記表示変換制御部は前記現在時刻から１年経過毎に前記年齢情報格納部に格納される前記年齢情報を更新することを特徴とする請求項１記載の情報表示装置。
【請求項３】
前記テーブルには所定年齢層と、前記所定年齢層に対応する文字の種類、配列および大きさのうちの少なくとも１つが関連付けて記録されることを特徴とする請求項１または２記載の情報表示装置。
【請求項４】
さらに、受信メールを取得するメーラアプリケーションを含み、前記表示変換部は前記メーラアプリケーションで取得される受信メールの文字を前記選択された文字の態様に変換することを特徴とする請求項１から３のいずれかに記載の情報表示装置。
【請求項５】
現在時刻および年齢情報が入力される入力ステップと、
前記入力ステップにて入力される現在時刻および年齢情報を年齢情報格納部に格納する年齢情報格納ステップと、
時刻を計数する計時ステップと、
年齢情報と表示文字の態様とが関連付けて記録されるテーブルを備え、前記年齢情報格納ステップにて格納される前記年齢情報に応じて前記テーブルから所定の文字の態様を選択し、表示すべき情報の文字の態様を前記選択された文字の態様に変換する表示変換ステップと、
前記表示変換ステップにて変換される文字の態様で前記表示すべき情報を表示する表示ステップと、
前記現在時刻を起点として時刻を計数し、その計数結果に基づいて前記年齢情報格納部に格納される年齢情報を更新し、更新後の年齢情報に基づき表示変換する年齢情報更新ステップとを含むことを特徴とする情報表示方法。
【請求項６】
前記年齢情報更新ステップでは、前記現在時刻から１年経過毎に前記年齢情報格納部に格納される前記年齢情報を更新することを特徴とする請求項５記載の情報表示方法。
【請求項７】
前記テーブルには所定年齢層と、前記所定年齢層に対応する文字の種類、配列および大きさのうちの少なくとも１つが関連付けて記録されることを特徴とする請求項５または６記載の情報表示方法。
【請求項８】
さらに、受信メールを取得するメーラアプリケーションを含み、前記表示変換ステップは前記メーラアプリケーションで取得される受信メールの文字を前記選択された文字の態様に変換することを特徴とする請求項５から７のいずれかに記載の情報表示方法。
【請求項９】
請求項１から４のいずれかに記載の情報表示装置を含むことを特徴とする携帯端末。
【請求項１０】
コンピュータに、
現在時刻および年齢情報が入力される入力ステップと、
前記入力ステップにて入力される現在時刻および年齢情報を年齢情報格納部に格納する年齢情報格納ステップと、
時刻を計数する計時ステップと、
年齢情報と表示文字の態様とが関連付けて記録されるテーブルを備え、前記年齢情報格納ステップにて格納される前記年齢情報に応じて前記テーブルから所定の文字の態様を選択し、表示すべき情報の文字の態様を前記選択された文字の態様に変換する表示変換ステップと、
前記表示変換ステップにて変換される文字の態様で前記表示すべき情報を表示する表示ステップと、
前記現在時刻を起点として時刻を計数し、その計数結果に基づいて前記年齢情報格納部に格納される年齢情報を更新し、更新後の年齢情報に基づき表示変換する年齢情報更新ステップとを実行させるためのプログラム。
【発明の詳細な説明】
【技術分野】
【０００１】
本発明は、情報表示装置および表示方法ならびに携帯端末に関し、特に表示形態の変更が可能な情報表示装置および表示方法ならびに携帯端末に関する。
【背景技術】
【０００２】
情報表示装置を備えた携帯端末の一例として携帯電話が存在する。近年、携帯電話は子供や高齢者等を含む幅広い年齢層に使用されるようになっている。しかし、関連する携帯電話では子供でも高齢者でも同じ文字表示を見るしかなく、子供は難しい漢字が読めず、高齢者は横書きが読みにくい等の問題点がある。
【０００３】
一方、表示装置の表示態様を変更することが可能な発明の例が特許文献１および２に開示されている。特許文献１に記載の発明は、サーバ装置からコンテンツをネットワーク経由で端末装置に送信する情報提供システムに関するものである。端末装置ではまずユーザの嗜好に合った表示方法が設定される。次に、サーバ装置からコンテンツが端末装置に送信されるが、端末装置の表示部にコンテンツが表示される際、設定された表示方法に変換されるというものである。
【０００４】
また、特許文献２に記載の発明は、電子事典の表示方法に関するものであり、設定画面ウインドウで「一般向け」または「子供向け」のいずれかを選択すると、選択に応じた絵柄のアイコンに切り替わるというものである。
【先行技術文献】
【特許文献】
【０００５】
【特許文献１】特開２００３−２２３４６３号公報
【特許文献２】特開平１０−３２６２８０号公報
【発明の概要】
【発明が解決しようとする課題】
【０００６】
しかし、特許文献１に記載の発明では、一度表示方法が設定されると、次回表示方法を変更するまで表示方法が変化しないため、時間の経過とともにユーザの嗜好が変化した場合は再設定しなければならないという欠点がある。また、特許文献２に記載の発明も同様の欠点がある。
【０００７】
そこで、本発明の目的は、時間の経過に伴い表示部の表示態様を自動的に変更することが可能な情報表示装置および表示方法ならびに携帯端末を提供することにある。
【課題を解決するための手段】
【０００８】
前記課題を解決するために、本発明による情報表示装置は、現在時刻および年齢情報が入力される入力部と、前記入力部に入力される現在時刻および年齢情報が格納される年齢情報格納部と、時刻を計数する計時部と、年齢情報と表示文字の態様とが関連付けて記録されるテーブルを備え、前記年齢情報格納部に格納される前記年齢情報に応じて前記テーブルから所定の文字の態様を選択し、表示すべき情報の文字の態様を前記選択された文字の態様に変換する表示変換部と、前記表示変換部にて変換される文字の態様で前記表示すべき情報が表示される表示部と、前記入力部、年齢情報格納部、計時部、表示変換部および表示部を制御する表示変換制御部とを含み、前記表示変換制御部は、前記計時部に前記現在時刻を起点として時刻を計数させ、その計数結果に基づいて前記年齢情報格納部に格納される年齢情報を更新し、更新後の年齢情報に基づき前記表示変換部に表示変換させることを特徴とする。
【０００９】
また、本発明による情報表示方法は、現在時刻および年齢情報が入力される入力ステップと、前記入力ステップにて入力される現在時刻および年齢情報を年齢情報格納部に格納する年齢情報格納ステップと、時刻を計数する計時ステップと、年齢情報と表示文字の態様とが関連付けて記録されるテーブルを備え、前記年齢情報格納ステップにて格納される前記年齢情報に応じて前記テーブルから所定の文字の態様を選択し、表示すべき情報の文字の態様を前記選択された文字の態様に変換する表示変換ステップと、前記表示変換ステップにて変換される文字の態様で前記表示すべき情報を表示する表示ステップと、前記現在時刻を起点として時刻を計数し、その計数結果に基づいて前記年齢情報格納部に格納される年齢情報を更新し、更新後の年齢情報に基づき表示変換する年齢情報更新ステップとを含むことを特徴とする。
【００１０】
また、本発明による携帯端末は上記情報表示装置を含むことを特徴とする。
【００１１】
また、本発明によるプログラムは、コンピュータに、現在時刻および年齢情報が入力される入力ステップと、前記入力ステップにて入力される現在時刻および年齢情報を年齢情報格納部に格納する年齢情報格納ステップと、時刻を計数する計時ステップと、年齢情報と表示文字の態様とが関連付けて記録されるテーブルを備え、前記年齢情報格納ステップにて格納される前記年齢情報に応じて前記テーブルから所定の文字の態様を選択し、表示すべき情報の文字の態様を前記選択された文字の態様に変換する表示変換ステップと、前記表示変換ステップにて変換される文字の態様で前記表示すべき情報を表示する表示ステップと、前記現在時刻を起点として時刻を計数し、その計数結果に基づいて前記年齢情報格納部に格納される年齢情報を更新し、更新後の年齢情報に基づき表示変換する年齢情報更新ステップとを実行させるためのものであることを特徴とする。
【発明の効果】
【００１２】
本発明によれば、時間の経過に伴い表示部の表示態様を自動的に変更することが可能となる。
【図面の簡単な説明】
【００１３】
【図１】本発明の動作原理を説明するための情報表示装置の一例の構成図である。
【図２】本発明の動作原理を説明するための情報表示方法の一例のフローチャートである。
【図３】本発明に係る情報表示装置の第１の実施形態の構成図である。
【図４】テーブル１４１の一例の構成図である。
【図５】第１の実施形態の動作を示すフローチャートである。
【図６】本発明に係る携帯端末の一例の構成図である。
【発明を実施するための形態】
【００１４】
まず、実施の形態の説明に入る前に、本発明の動作原理について説明する。図１は本発明の動作原理を説明するための情報表示装置の一例の構成図、図２は本発明の動作原理を説明するための情報表示方法の一例のフローチャートである。
【００１５】
図１を参照すると、本発明に係る情報表示装置１は、入力部１１と、年齢情報格納部１２と、計時部１３と、表示変換部１４と、表示部１５と、表示変換制御部１６とを含んで構成される。
【００１６】
入力部１１には現在時刻および年齢情報が入力される。年齢情報格納部１２には入力部１１に入力される現在時刻および年齢情報が格納される。計時部１３は時刻を計数する。表示変換部１４は年齢情報と表示文字の態様とが関連付けて記録されるテーブル１４１を備え、年齢情報格納部１２に格納される年齢情報に応じてテーブル１４１から所定の文字の態様を選択し、表示すべき情報の文字の態様を選択された文字の態様に変換する。表示部１５は表示変換部１４にて変換される文字の態様で表示すべき情報を表示する。表示変換制御部１６は入力部１１、年齢情報格納部１２、計時部１３、表示変換部１４および表示部１５を制御する。さらに表示変換制御部１６は、計時部１３に現在時刻を起点として時刻を計数させ、その計数結果に基づいて年齢情報格納部１２に格納される年齢情報を更新し、更新後の年齢情報に基づき表示変換する。
【００１７】
図２を参照すると、本発明に係る情報表示方法は、現在時刻および年齢情報が入力される入力ステップＳ１と、入力ステップＳ１にて入力される現在時刻および年齢情報を年齢情報格納部１２に格納する年齢情報格納ステップＳ２と、時刻を計数する計時ステップＳ３と、年齢情報と表示文字の態様とが関連付けて記録されるテーブル１４１を備え、年齢情報格納ステップＳ２にて格納される年齢情報に応じてテーブル１４１から所定の文字の態様を選択し、表示すべき情報の文字の態様を選択された文字の態様に変換する表示変換ステップＳ４と、表示変換ステップＳ４にて変換される文字の態様で表示すべき情報を表示する表示ステップＳ５と、現在時刻を起点として時刻を計数し、その計数結果に基づいて年齢情報格納部１２に格納される年齢情報を更新し、更新後の年齢情報に基づき表示変換する年齢情報更新ステップＳ６とを含んでいる。
【００１８】
以上説明したように本発明に係る情報表示装置および情報表示方法によれば、入力される年齢情報が年月の経過に伴い更新され、その更新された年齢情報に基づき表示部の表示態様を変更する構成であるため、時間の経過に伴い表示部の表示態様を自動的に変更することが可能となる。
【００１９】
以下、本発明の実施の形態について添付図面を参照しながら説明する。まず、第１の実施形態について説明する。図３は本発明に係る情報表示装置の第１の実施形態の構成図である。なお、図１と同様の構成部分については同一番号を付し、その説明を省略する。
【００２０】
同図を参照すると、本発明に係る情報表示装置２１は、入力部１１と、年齢情報格納部１２と、計時部１３と、表示変換部１４と、表示部１５と、表示変換制御部１６と、メーラアプリケーション１７と、プログラム格納部１８とを含んで構成される。
【００２１】
表示部１５は、一例としてＬＣＤ(Liquid Crystal Display)で構成される。メーラアプリケーション１７は電子メールを作成および解読するためのソフトウエアである。プログラム格納部１８には後述する情報表示方法のプログラムが格納されている。表示変換制御部１６は、入力部１１、年齢情報格納部１２、計時部１３、表示変換部１４、表示部１５、メーラアプリケーション１７およびプログラム格納部１８を制御する。
【００２２】
また、表示変換部１４はテーブル１４１を備えている。次に、テーブル１４１の構成例について説明する。図４はテーブル１４１の一例の構成図である。本実施形態では、一例として利用者が子供である場合を想定している。そこで、テーブル１４１では年齢層別の表示態様を設定している。
【００２３】
同図を参照すると、テーブル１４１では年齢層を、一例として、０〜１２歳、１３〜５０歳、５１歳〜７０歳、７１歳以上の４通りに区分している。一方、表示態様は、一例として、文字の種類をひらがなと漢字とし、文字配列を横書きと縦書きとし、文字の大きさを大、標準、小としている。
【００２４】
そして、年齢層０〜１２歳に対しては、文字の種類に「ひらがな」、文字配列に「横書き」、文字の大きさに「標準」を割り当てている。また、年齢層１３〜５０歳に対しては、文字の種類に「漢字」、文字配列に「横書き」、文字の大きさに「小」を割り当てている。また、年齢層５１〜７０歳に対しては、文字の種類に「漢字」、文字配列に「横書き」、文字の大きさに「標準」を割り当てている。また、年齢層７１歳以上に対しては、文字の種類に「漢字」、文字配列に「縦書き」、文字の大きさに「大」を割り当てている。
【００２５】
なお、上記年齢層の区分および表示態様の種類は一例であり、これらに限定されるものではなく、任意の区分および表示態様の種類に対して本発明の適用が可能である。
【００２６】
次に、第１の実施形態の動作について説明する。図５は第１の実施形態の動作を示すフローチャートである。なお、以下の動作は表示変換制御部１６が入力部１１、年齢情報格納部１２、計時部１３、表示変換部１４、表示部１５およびメーラアプリケーション１７を制御することにより実行される（図３参照）。
【００２７】
図５を参照すると、まず、表示変換制御部１６は入力部１１に現在時刻、ユーザの年齢および学年を入力させる（ステップＳ１１）。具体的には、ユーザが入力部１１を介して情報表示装置２１へ現在時刻、ユーザの年齢および学年を入力する。次に、表示変換制御部１６は入力された現在時刻、ユーザの年齢および学年を年齢情報格納部１２に格納する（ステップＳ１２）。次に、表示変換制御部１６は計時部１３に時刻の計数を開始させる（ステップＳ１３）。
【００２８】
次に、表示変換制御部１６はメーラアプリケーション１７より受信メールを取得し、ユーザの年齢および学年を年齢情報格納部１２から取得する（ステップＳ１４）。次に、表示変換制御部１６は取得した受信メールおよびユーザの年齢ならびに学年を表示変換部１４に入力し、表示変換部１４に受信メールの文章の解析および学年に応じた文字（この例ではひらがな）への変換を実行させる（ステップＳ１５）。
【００２９】
次に、表示変換制御部１６は表示部１５に変換した態様で受信メールを表示させる（ステップＳ１６）。次に、表示変換制御部１６は計時部１３における時刻の計数結果が１年を経過したか否かを調べ（ステップＳ１７）、１年経過した場合（ステップＳ１７にて“Ｙ”の場合）、年齢情報に“１”を加算することにより年齢情報を更新する（ステップＳ１８）。そして、ステップＳ１４に戻る。一方、１年経過していない場合（ステップＳ１７にて“Ｎ”の場合）、ステップＳ１４に戻る。
【００３０】
以上説明したように、本発明の第１の実施形態によれば、ユーザの入力した年齢および学年が一年ごとに更新され、その更新された年齢および学年に応じて表示部１５に表示される文字態様が変更される構成であるため、ユーザが一度年齢および学年を入力すれば、その後再度入力する必要がなくなり、よって、ユーザの年齢が上がっても、自動的に年齢に応じた表示を表示部１５にて行うことが可能となる。
【００３１】
次に、本発明の第２の実施形態について説明する。図６は本発明に係る携帯端末の一例の構成図である。同図を参照すると、本発明に係る携帯端末３１は第１の実施形態で示した情報表示装置２１を含んでいる。また、本発明に係る携帯端末３１は、一例として携帯電話である。
【００３２】
なお、携帯端末３１はその他、ユーザインタフェース等、関連する携帯電話に搭載される公知の機能を備えている。また、携帯端末３１は携帯電話に限定されるものではなく、他の携帯端末、一例としてＰＤＡ(Personal Digital Assistant)等に適用することが可能である。
【００３３】
以上説明したように本発明の第２の実施形態によれば、携帯端末３１に第１の実施形態で示した情報表示装置２１を含む構成であるため、携帯端末３１においてユーザが一度年齢および学年を入力すれば、その後再度入力する必要がなくなり、よって、ユーザの年齢が上がっても、自動的に年齢に応じた表示を表示部１５にて行う携帯端末３１を得ることが可能となる。
【００３４】
次に、本発明の第３の実施形態について説明する。第３の実施形態は情報表示装置における表示方法のプログラムに関するものである。第１の実施形態で述べたように、本発明に係る情報表示装置１はプログラム格納部１８を含んでいる（図３参照）。プログラム格納部１８には図５にフローチャートで示すプログラムが格納されている。
【００３５】
情報表示装置１の表示変換制御部１６はプログラム格納部１８からそのプログラムを読み出し、そのプログラムにしたがって入力部１１、年齢情報格納部１２、計時部１３、表示変換部１４、表示部１５およびメーラアプリケーション１７を制御する。その制御の内容は既に述べたのでここでの説明は省略する。
【００３６】
以上説明したように本発明の第３の実施形態によれば、ユーザの入力した年齢および学年が一年ごとに更新され、その更新された年齢および学年に応じて表示部１５に表示される文字態様が変更される構成であるため、ユーザが一度年齢および学年を入力すれば、その後再度入力する必要がなくなり、よって、ユーザの年齢が上がっても、自動的に年齢に応じた表示を表示部１５にて行うことが可能な表示方法のプログラムが得られる。
【符号の説明】
【００３７】
１、２１  情報表示装置
１１  入力部
１２  年齢情報格納部
１３  計時部
１４  表示変換部
１５  表示部
１６  表示変換制御
１７  メーラアプリケーション
１８  プログラム格納部
３１  携帯端末
１４１  テーブル
【図１】
2011081577.tif 000003
【図２】
2011081577.tif 000004
【図３】
2011081577.tif 000005
【図４】
2011081577.tif 000006
【図５】
2011081577.tif 000007
【図６】
2011081577.tif 000008